(57)【特許請求の範囲】
【請求項１】
水中の微生物を殺滅する水無害化処理装置であって、被処理水の塩分濃度を測定する塩分濃度測定手段と、被処理水の濁度を測定する濁度測定手段と、被処理水を電気分解することにより被処理水から塩素含有物質を生成し、この塩素含有物質により被処理水を処理する電解処理装置と、被処理水または前記電解処理装置で処理した処理水に紫外線を照射して処理する紫外線照射装置を内蔵した紫外線処理装置と、被処理水の塩分濃度および濁度の測定値に応じて前記電解処理装置および前記紫外線照射装置の出力を調整する制御手段を備え、
前記制御手段は、被処理水の塩分濃度が通常海水の塩分濃度より低い場合、その濃度に応じて前記紫外線照射装置の出力を上げるように調整する制御を行うようにしたことを特徴とする水無害化処理装置。
【請求項２】
水中の微生物を殺滅する水無害化処理装置であって、被処理水の塩分濃度を測定する塩分濃度測定手段と、被処理水の濁度を測定する濁度測定手段と、被処理水を電気分解することにより被処理水から塩素含有物質を生成し、この塩素含有物質により被処理水を処理する電解処理装置と、被処理水または前記電解処理装置で処理した処理水に紫外線を照射して処理する紫外線照射装置を内蔵した紫外線処理装置と、被処理水の塩分濃度および濁度の測定値に応じて前記電解処理装置および前記紫外線照射装置の出力を調整する制御手段を備え、
前記制御手段は、被処理水の塩分濃度が通常海水の塩分濃度より低い場合、その濃度に応じて前記電解処理装置の出力を上げるように調整する制御を行うようにしたことを特徴とする水無害化処理装置。
【請求項３】
水中の微生物を殺滅する水無害化処理装置であって、被処理水の塩分濃度を測定する塩分濃度測定手段と、被処理水の濁度を測定する濁度測定手段と、被処理水を電気分解することにより被処理水から塩素含有物質を生成し、この塩素含有物質により被処理水を処理する電解処理装置と、被処理水または前記電解処理装置で処理した処理水に紫外線を照射して処理する紫外線照射装置を内蔵した紫外線処理装置と、被処理水の塩分濃度および濁度の測定値に応じて前記電解処理装置および前記紫外線照射装置の出力を調整する制御手段を備え、
前記制御手段は、被処理水の濁度に応じて前記紫外線照射装置の出力を上げるように調整する制御を行うようにしたことを特徴とする水無害化処理装置。
【請求項４】
前記制御手段は、被処理水の濁度に応じて前記紫外線照射装置の出力を上げても所定の紫外線の照度が得られないとき、さらに前記電解処理装置の出力を上げるように調整する制御を行うようにしたことを特徴とする請求項３に記載の水無害化処理装置。
【請求項５】
水中の微生物を殺滅する水無害化処理装置であって、被処理水の濁度を測定する濁度測定手段と、被処理水を電気分解することにより被処理水から塩素含有物質を生成し、この塩素含有物質により被処理水を処理する電解処理装置と、前記電解処理装置で処理した処理水の塩素濃度を測定する塩素濃度測定手段と、被処理水または前記電解処理装置で処理した処理水に紫外線を照射して処理する紫外線照射装置を内蔵した紫外線処理装置と、被処理水の濁度および前記電解処理装置で処理した処理水の塩素濃度の測定値に応じて電解処理装置および紫外線照射装置の出力を調整する制御手段を備え、
前記制御手段は、前記電解処理装置で処理した処理水の塩素濃度が通常の塩分濃度の海水を処理したときの塩素濃度より低い場合、その濃度に応じて前記紫外線照射装置の出力を上げるように調整する制御を行うようにしたことを特徴とする水無害化処理装置。
【請求項６】
水中の微生物を殺滅する水無害化処理装置であって、被処理水の濁度を測定する濁度測定手段と、被処理水を電気分解することにより被処理水から塩素含有物質を生成し、この塩素含有物質により被処理水を処理する電解処理装置と、前記電解処理装置で処理した処理水の塩素濃度を測定する塩素濃度測定手段と、被処理水または前記電解処理装置で処理した処理水に紫外線を照射して処理する紫外線照射装置を内蔵した紫外線処理装置と、被処理水の濁度および前記電解処理装置で処理した処理水の塩素濃度の測定値に応じて電解処理装置および紫外線照射装置の出力を調整する制御手段を備え、
前記制御手段は、前記電解処理装置で処理した処理水の塩素濃度が通常の塩分濃度の海水を処理したときの塩素濃度より低い場合、その濃度に応じて前記電解処理装置の出力を上げるように調整する制御を行うようにしたことを特徴とする水無害化処理装置。
【請求項７】
水中の微生物を殺滅する水無害化処理装置であって、被処理水の濁度を測定する濁度測定手段と、被処理水を電気分解することにより被処理水から塩素含有物質を生成し、この塩素含有物質により被処理水を処理する電解処理装置と、前記電解処理装置で処理した処理水の塩素濃度を測定する塩素濃度測定手段と、被処理水または前記電解処理装置で処理した処理水に紫外線を照射して処理する紫外線照射装置を内蔵した紫外線処理装置と、被処理水の濁度および前記電解処理装置で処理した処理水の塩素濃度の測定値に応じて電解処理装置および紫外線照射装置の出力を調整する制御手段を備え、
前記制御手段は、被処理水の濁度に応じて前記紫外線照射装置の出力を上げるように調整する制御を行うようにしたことを特徴とする水無害化処理装置。
【請求項８】
前記制御手段は、被処理水の濁度に応じて前記紫外線照射装置の出力を上げても所定の紫外線の照度が得られないとき、さらに前記電解処理装置の出力を上げるように調整する制御を行うようにしたことを特徴とする請求項７に記載の水無害化処理装置。
【発明の詳細な説明】
【技術分野】
【０００１】
本発明は、バラスト水、下水、工場排水を無害化する水無害化処理装置に関する。
【背景技術】
【０００２】
バラスト水、下水、工場排水等（以下、被処理水という。）を無害化する処理手段として、被処理水を電気分解することにより被処理水から塩素含有物質を生成し、この塩素含有物質により被処理水を処理する電気分解処理法や、被処理水に紫外線を照射して処理する紫外線処理法が知られている。
【０００３】
しかし、電気分解処理法では、被処理水に含まれる塩分濃度によって塩素含有物質である塩素、次亜塩素酸、残留塩素等の濃度（以下、塩素濃度という。）が変わるため、例えば、被処理水がバラスト水である場合には無害化処理効果が不安定となる。特に、河川の上流まで上る船舶や湖を行き交う船舶では、淡水をバラスト水として用いる場合があり、これを電気分解しても微生物や菌の殺滅に有効な塩素濃度（以下、有効塩素濃度という。）は得られない。また、河口に近い港でバラスト水を処理する場合、汲み上げる水に含まれる塩分濃度が低い場合、有効塩素濃度を得るための入力電力が増加してしまったり、増加させても必要な有効塩素濃度が得られない場合がある。
このような問題点を解消するものとして、塩化ナトリウムや塩分濃度が一定濃度以上の海水を電解促進剤としてタンクに貯留しておき、液体を処理する際に、液体電解装置の貯留タンク内或いは電解層内へ供給し、液体中の塩分濃度を上昇させることにより電解効率を高めて有効塩素濃度を得る水処理技術が開示されている（例えば、特許文献１参照。）。
【０００４】
また、紫外線処理法では、被処理水の濁度が高いとき、紫外線照射の強度が低下し、殺菌に十分な紫外線照度（以下、所定照射強度）が得られない場合がある。
このような問題点を解消するものとして、電解次亜塩素酸ソーダ製造装置に食塩水を供給して得られる次亜塩素酸ソーダ溶解含有水を被処理水に添加して紫外線照射処理して、被処理水を浄化する水処理技術が開示されている（例えば、特許文献２参照。）。
【先行技術文献】
【特許文献】
【０００５】
【特許文献１】特開２００７−２２９５７７号公報
【特許文献２】特開２００１−７９５４４号公報
【発明の概要】
【発明が解決しようとする課題】
【０００６】
しかしながら、上記の特許文献１、２で開示されている水処理技術を、例えば、バラスト水処理に利用する場合、特許文献１で開示されている水処理技術では、バラスト水を処理する海域（港）の塩分濃度にあわせて、塩化ナトリウムや塩分濃度が一定濃度以上の海水などの電解促進剤をタンクに貯留しなければならず、航行時の燃費ロスを招くと共に、バラスト水製造コストが高いものとなるといった問題があり、また、特許文献２で開示されている水処理技術では、例えば、淡水路を航路とする船舶の場合には、多量の食塩が必要となりバラスト水製造コストが高いものとなるといった問題がある。
【０００７】
本発明の目的は、電気分解処理法と紫外線処理法の短所を、それぞれの長所で補い合うようにして効率よく且つ低コストで被処理水の無害化処理を行えるようにした水無害化処理装置を提供することにある。
【課題を解決するための手段】
【０００８】
上記の目的を達成するために、請求項１に記載の発明は、水中の微生物を殺滅する水無害化処理装置であって、被処理水の塩分濃度を測定する塩分濃度測定手段と、被処理水の濁度を測定する濁度測定手段と、被処理水を電気分解することにより被処理水から塩素含有物質を生成し、この塩素含有物質により被処理水を処理する電解処理装置と、被処理水または前記電解処理装置で処理した処理水に紫外線を照射して処理する紫外線照射装置を内蔵した紫外線処理装置と、被処理水の塩分濃度および濁度の測定値に応じて前記電解処理装置および前記紫外線照射装置の出力を調整する制御手段を備え、前記制御手段は、被処理水の塩分濃度が通常海水の塩分濃度より低い場合、その濃度に応じて前記紫外線照射装置の出力を上げるように調整する制御を行うようにしたことを特徴とする。
【０００９】
請求項１に記載の発明によれば、被処理水を電解処理装置と紫外線処理装置で処理するので、効率が良く、高い無害化処理効果が得られ、被処理水の塩分濃度および濁度の測定値に応じて前記電解処理装置および前記紫外線照射装置の出力を調整することにより、被処理水の塩分濃度が低い場合や濁度が高い場合でも、高い無害化処理効果を確実に得ることができる。また、被処理水の塩分濃度が低い場合を想定して、塩化ナトリウムや塩分濃度が一定濃度以上の海水などの電解促進剤を貯留する必要がないので、低コストで被処理水を無害化処理することができる。
【００１１】
請求項１に記載の発明によれば、被処理水の塩分濃度が通常海水の塩分濃度より低くても前記紫外線照射装置の出力を上げることにより被処理水を無害化することができるので、前記電解処理装置の出力を上げることによる処理水中に残る塩素含有物質の増加が防止でき、その分排水時における中和処理の必要がなくなる。
【００１２】
請求項２に記載の発明は、中の微生物を殺滅する水無害化処理装置であって、被処理水の塩分濃度を測定する塩分濃度測定手段と、被処理水の濁度を測定する濁度測定手段と、被処理水を電気分解することにより被処理水から塩素含有物質を生成し、この塩素含有物質により被処理水を処理する電解処理装置と、被処理水または前記電解処理装置で処理した処理水に紫外線を照射して処理する紫外線照射装置を内蔵した紫外線処理装置と、被処理水の塩分濃度および濁度の測定値に応じて前記電解処理装置および前記紫外線照射装置の出力を調整する制御手段を備え、前記制御手段は、被処理水の塩分濃度が通常海水の塩分濃度より低い場合、その濃度に応じて前記電解処理装置の出力を上げるように調整する制御を行うようにしたことを特徴とする。
【００１３】
請求項２に記載の発明によれば、被処理水の塩分濃度が通常海水の塩分濃度より低い場合、その濃度に応じて前記電解処理装置の出力を上げることにより塩素含有物質の生成を増加させ有効塩素濃度を得ることができる。
【００１４】
請求項３に記載の発明は、水中の微生物を殺滅する水無害化処理装置であって、被処理水の塩分濃度を測定する塩分濃度測定手段と、被処理水の濁度を測定する濁度測定手段と、被処理水を電気分解することにより被処理水から塩素含有物質を生成し、この塩素含有物質により被処理水を処理する電解処理装置と、被処理水または前記電解処理装置で処理した処理水に紫外線を照射して処理する紫外線照射装置を内蔵した紫外線処理装置と、被処理水の塩分濃度および濁度の測定値に応じて前記電解処理装置および前記紫外線照射装置の出力を調整する制御手段を備え、前記制御手段は、被処理水の濁度に応じて前記紫外線照射装置の出力を上げるように調整する制御を行うようにしたことを特徴とする。
【００１５】
請求項３に記載の発明によれば、被処理水の濁度が高くても紫外線照度に所定照射強度を得ることができる。
【００１６】
請求項４に記載の発明は、請求項３に記載の、前記制御手段は、被処理水の濁度に応じて前記紫外線照射装置の出力を上げても所定の紫外線の照度が得られないとき、さらに前記電解処理装置の出力を上げるように調整する制御を行うようにしたことを特徴とする。
【００１７】
請求項４に記載の発明によれば、被処理水の濁度が高く、前記紫外線照射装置の出力を上げても所定の紫外線の照度が得られない場合、さらに前記電解処理装置の出力を上げることにより塩素含有物質の生成を増加させ塩素濃度を高めることにより、無害化処理効果を確実に得ることができる。
【００１８】
請求項５に記載の発明は、水中の微生物を殺滅する水無害化処理装置であって、被処理水の濁度を測定する濁度測定手段と、被処理水を電気分解することにより被処理水から塩素含有物質を生成し、この塩素含有物質により被処理水を処理する電解処理装置と、前記電解処理装置で処理した処理水の塩素濃度を測定する塩素濃度測定手段と、被処理水または前記電解処理装置で処理した処理水に紫外線を照射して処理する紫外線照射装置を内蔵した紫外線処理装置と、被処理水の濁度および前記電解処理装置で処理した処理水の塩素濃度の測定値に応じて電解処理装置および紫外線照射装置の出力を調整する制御手段を備え、前記制御手段は、前記電解処理装置で処理した処理水の塩素濃度が通常の塩分濃度の海水を処理したときの塩素濃度より低い場合、その濃度に応じて前記紫外線照射装置の出力を上げるように調整する制御を行うようにしたことを特徴とする。
【００１９】
請求項５に記載の発明によれば、被処理水を電解処理装置と紫外線処理装置で処理するので、効率が良く、高い無害化処理効果が得られ、被処理水の濁度および前記電解処理装置で処理した処理水の塩素濃度の測定値に応じて電解処理装置および紫外線照射装置の出力を調整することにより、被処理水の濁度が高い場合や処理水の塩素濃度が低い場合でも、高い無害化処理効果を確実に得ることができる。また、前記電解処理装置で処理した処理水の塩素濃度が低い場合を想定して、塩化ナトリウムや塩分濃度が一定濃度以上の海水などの電解促進剤を貯留する必要がないので、低コストで被処理水を無害化処理することができる。
【００２１】
請求項５に記載の発明によれば、前記電解処理装置で処理した処理水の塩素濃度が通常の塩分濃度の海水を処理したときの塩素濃度より低くても前記紫外線照射装置の出力を上げることにより被処理水を無害化することができるので、前記電解処理装置の出力を上げることによる処理水中に残る塩素含有物質の増加が防止でき、その分排水時における中和処理の必要がなくなる。
【００２２】
請求項６に記載の発明は、水中の微生物を殺滅する水無害化処理装置であって、被処理水の濁度を測定する濁度測定手段と、被処理水を電気分解することにより被処理水から塩素含有物質を生成し、この塩素含有物質により被処理水を処理する電解処理装置と、前記電解処理装置で処理した処理水の塩素濃度を測定する塩素濃度測定手段と、被処理水または前記電解処理装置で処理した処理水に紫外線を照射して処理する紫外線照射装置を内蔵した紫外線処理装置と、被処理水の濁度および前記電解処理装置で処理した処理水の塩素濃度の測定値に応じて電解処理装置および紫外線照射装置の出力を調整する制御手段を備え、前記制御手段は、前記電解処理装置で処理した処理水の塩素濃度が通常の塩分濃度の海水を処理したときの塩素濃度より低い場合、その濃度に応じて前記電解処理装置の出力を上げるように調整する制御を行うようにしたことを特徴とする。
【００２３】
請求項６に記載の発明によれば、前記電解処理装置で処理した処理水の塩素濃度が通常の塩分濃度の海水を処理したときの塩素濃度より低い場合、その濃度に応じて前記電解処理装置の出力を上げることにより塩素含有物質の生成を増加させ有効塩素濃度を得ることができる。
【００２４】
請求項７に記載の発明は、水中の微生物を殺滅する水無害化処理装置であって、被処理水の濁度を測定する濁度測定手段と、被処理水を電気分解することにより被処理水から塩素含有物質を生成し、この塩素含有物質により被処理水を処理する電解処理装置と、前記電解処理装置で処理した処理水の塩素濃度を測定する塩素濃度測定手段と、被処理水または前記電解処理装置で処理した処理水に紫外線を照射して処理する紫外線照射装置を内蔵した紫外線処理装置と、被処理水の濁度および前記電解処理装置で処理した処理水の塩素濃度の測定値に応じて電解処理装置および紫外線照射装置の出力を調整する制御手段を備え、前記制御手段は、被処理水の濁度に応じて前記紫外線照射装置の出力を上げるように調整する制御を行うようにしたことを特徴とする。
【００２５】
請求項７に記載の発明によれば、被処理水の濁度に応じて前記紫外線照射装置の出力を上げることにより、被処理水の濁度が高くても紫外線照度に所定照射強度を得ることができる。
【００２６】
請求項８に記載の発明は、請求項７に記載の、前記制御手段は、被処理水の濁度に応じて前記紫外線照射装置の出力を上げても所定の紫外線の照度が得られないとき、さらに前記電解処理装置の出力を上げるように調整する制御を行うようにしたことを特徴とする。
【００２７】
請求項８に記載の発明によれば、被処理水の濁度が高く、前記紫外線照射装置の出力を上げても所定の紫外線の照度が得られない場合、前記電解処理装置の出力を上げることにより塩素含有物質の生成を増加させて有効塩素濃度を高めることができ、無害化処理効果を確実に得ることができる。
【発明の効果】
【００２８】
本発明に係る水無害化処理装置によれば、被処理水の塩分濃度や電解処理装置で処理した処理水の塩素濃度および処理水の濁度に応じて前記電解処理装置および紫外線処理装置が内蔵する前記紫外線照射装置の出力を調整することにより、被処理水の塩分濃度や有効塩素濃度が低い場合や処理水の濁度が高い場合であっても、低コストで被処理水を確実に無害化処理することができる。
【図面の簡単な説明】
【００２９】
【図１】本発明に係る水無害化処理装置を実施するための形態の第１例を示す概略構成図である。
【図２】本発明に係る水無害化処理装置を実施するための形態の第２例を示す概略構成図である。
【発明を実施するための形態】
【００３０】
以下、本発明に係る水無害化処理装置を実施するための形態を、図面を参照して詳細に説明する。
図１は本発明に係る水無害化処理装置の実施の形態の第１例を示す概略構成図である。
【００３１】
本例の水無害化処理装置はバラスト水処理装置として実施された例を示すものであり、水処理ライン１上に、上流側から、被処理水の塩分濃度を測定する塩分濃度測定手段２と、被処理水の濁度を測定する濁度測定手段３と、被処理水を電気分解することにより被処理水から塩素含有物質を生成し、この塩素含有物質により被処理水を処理する電解処理装置４と、被処理水または電解処理装置４で処理した処理水に紫外線を照射して処理する紫外線照射装置５ａを内蔵した紫外線処理装置５とを備えている。
このように、電解処理装置４と紫外線処理装置５を水処理ライン１上に直列に配置し、電解処理装置４で処理した処理水に紫外線処理装置５に内蔵する紫外線照射装置５ａで紫外線を照射して処理することにより、微生物の殺滅効果を一層高めることができ、高い無害化処理効果が得られる。
さらに、本例の水無害化処理装置は、前記の塩分濃度測定手段２および濁度測定手段３による被処理水の塩分濃度および濁度の測定値に応じて電解処理装置４および紫外線照射装置５ａの出力を調整する制御手段６を備えている。前記紫外線照射装置５ａは、図示しないが、紫外線ランプと、そのランプの出力を制御する制御部を含んでいる。
【００３２】
塩分濃度測定手段２の上流側の水処理ライン１には、被処理水を汲み上げて圧送するポンプ７とフィルタ８が、ポンプ７、フィルタ８の順で設けられている。また、水処理ライン１の上流端には、汲み上げ弁９を介して被処理水汲み上げライン１０が接続している。
紫外線処理装置５の下流側は、処理水送りライン１１と排出ライン１２に分岐している。そして、処理水送りライン１１は、処理水タンク１３に処理水を注水し、また処理水タンク１３内の処理水を汲み上げる注水・汲み上げライン１４と、処理水タンク１３から処理水を汲み上げるためのポンプ７と接続されて、処理水を送り出す処理水再処理ライン１５に分岐している。この処理水再処理ライン１５はポンプ７と汲み上げ弁９との間の水処理ライン１に接続されている。
【００３３】
水処理ライン１には、処理水タンク１３の水を排水する際に再処理するための処理水排水ライン１８が接続される。処理水排水ライン１８は、処理水タンク１３からポンプ７によって汲み上げた処理水を紫外線処理装置５に通過させ、内蔵する紫外線照射装置５ａで紫外線を照射して、系外に排出するラインである。処理水排水ライン１８は、水処理ライン１のポンプ７の下流から分岐し、フィルタ８、電解処理装置４をバイパスさせて、紫外線処理装置５の上流側と接続する第１分岐ライン１６と、さらに紫外線処理装置５をバイパスさせて排出ライン１２に接続する第２分岐ライン１７に分かれている。
この処理水排水ライン１８には、再処理弁２６、再処理切換弁３１が設けられている。また、第１分岐ライン１６には、紫外線再処理弁３０が設けられている。
【００３４】
また、前記処理水再処理ライン１５および処理水送りライン１１には、処理水再処理ライン１５および処理水送りライン１１を通る処理水の残留塩素濃度を測定する残留塩素濃度測定手段１９ａ，１９ｂが設けられ、また、処理水排水ライン１８には、一端が塩素中和剤を収容する中和装置２０に接続された中和剤注入ライン２１の他端が接続されている。そして、残留塩素濃度測定手段１９ａ，１９ｂの何れかで測定した処理水の残留塩素濃度の測定値に応じて中和装置２０から塩素中和剤を処理水排水ライン１８に注入する制御手段２２を備えている。中和装置２０は、残留塩素を中和するチオ硫酸ナトリウム、亜硫酸ナトリウムといった塩素中和剤を収納しており、前記制御手段２２に制御されて塩素中和剤を処理水排水ライン１８に注入するものである。
【００３５】
なお、本例では、前記処理水再処理ライン１５に、処理水再処理ライン１５を通る処理水の残留塩素濃度を測定する残留塩素濃度測定手段１９ａが設けられ、また、処理水送りライン１１に、処理水送りライン１１を通る処理水の残留塩素濃度を測定する残留塩素濃度測定手段１９ｂが設けられているが、前記処理水再処理ライン１５或いは処理水送りライン１１のいずれか一方に、残留塩素濃度測定手段１９ａ或いは残留塩素濃度測定手段１９ｂが設けられていればよい。
【００３６】
前記の残留塩素濃度測定手段１９ａ，１９ｂは、本例では、総残留オキシダントセンサ（ＴＲＯセンサ）が用いられ、処理水再処理ライン１５を通る処理水の残留塩素濃度を検出している。
水処理ライン１には、ポンプ７とフィルタ８の間に処理水弁２３が設けられ、電解処理装置４と紫外線処理装置５との間には、再処理時に第１分岐ライン１６から流入する処理水が電解処理装置４へ逆流するのを防止する逆流防止弁２４が設けられ、紫外線処理装置５の下流側に処理水供給弁２５が設けてられている。
また、処理水送りライン１１には、タンク注水弁２７が設けられ、排出ライン１２には、排出弁２８が設けられ、処理水再処理ライン１５には、タンク排水弁が２９が設けられ、中和剤注入ライン２１には、中和剤供給弁３２が設けられている。
【００３７】
前記の塩分濃度測定手段２は、本例では電気伝導度センサが用いられ、被処理水の電気伝導度を検出することにより被処理水の塩分濃度を検出している。また、濁度測定手段３には、被処理水の濁度を直接計測する濁度センサや透過率センサ、あるいは被処理水に紫外線を照射したときの照度を計測して、その照度により被処理水の濁度を間接的に計測する紫外線照度センサがある。
本例では濁度測定手段３として、水処理ライン１を通る被処理水の濁度を計測する濁度センサ３ａと、紫外線処理装置５において紫外線を照射したときの照度を計測する紫外線照度センサ３ｂが併用され、濁度センサ３ａと紫外線照度センサ３ｂのいずれかが制御手段６により選択され、被処理水の濁度が計測されるようになっている。
【００３８】
また、前記の制御手段６は、前記の塩分濃度測定手段２および濁度測定手段３による被処理水の塩分濃度および濁度の測定値に応じて電解処理装置４および紫外線照射装置５ａの出力を、船舶のバラスト水および沈殿物の規制および管理のための国際条約（以下、バラスト水管理条約という。）に基づくバラスト水の排水基準（以下、Ｄ２基準という。）を満足する微生物の殺滅効果が得られるよう出力調整する制御を行うようにしている。
本例では、電解処理装置４および紫外線照射装置５ａの所定出力を設定している。電解処理装置４にあっては、通常の海水の塩分濃度（３．２％）のとき、Ｄ２基準を満足する有効塩素濃度が得られる出力を所定出力とし、この所定出力は電解処理装置４の定格出力の７０％に設定している。また、紫外線照射装置５ａにあっては、濁度が５０ＮＴＵ以下で、Ｄ２基準を満足する照度が得られる出力を所定出力とし、この所定出力は紫外線照射装置５ａの定格出力の７０％に設定している。
【００３９】
また、Ｄ２基準を満足させるために、被処理水の塩分濃度が低いときの紫外線照射装置５ａの出力アップ率、濁度が高いときの電解処理装置４の出力アップ率をそれぞれ設定しており、被処理水の塩分濃度および濁度の測定値に応じて電解処理装置４の圧力および紫外線照射装置５ａの出力を調整する制御を行うようになっている。
【００４０】
制御手段６による電解処理装置４および紫外線照射装置５ａの出力を調整する制御は、本例ではつぎのように行うようになっている。
［制御１］
被処理水の塩分濃度に応じて紫外線照射装置５ａの出力を上げるように調整する制御を行う。塩分濃度測定手段２としての電気伝導度センサで測定される被処理水の電気伝導度に基づき、被処理水の塩分濃度が通常海水の濃度よりも低いと判定した場合は、電解処理装置４の出力を所定出力に維持し、紫外線照射装置５ａの出力を所定出力である７０％から塩分濃度に応じて増加させる。
［制御２］
被処理水の塩分濃度に応じて電解処理装置４の出力を調整する制御を行う。被処理水の塩分濃度が通常の濃度より低いと判定した場合は、紫外線照射装置５ａの出力を所定出力に維持し、電解処理装置４の出力を微生物の殺滅に有効な塩素濃度が得られるよう増加させる。
［制御３］
被処理水の濁度に応じて紫外線照射装置５ａの出力を上げるように調整する制御を行う。被処理水の濁度が高く、所定の紫外線照度が得られない場合は、電解処理装置４の出力を所定出力に維持し、紫外線照射装置５ａの出力を微生物の殺滅に有効な紫外線照度が得られるよう増加させる。
［制御４］
被処理水の濁度が高く紫外線照射装置５ａの出力を上げても所定の紫外線照度が得られないとき、さらに電解処理装置４の出力を上げるように調整する制御を行う。被処理水の濁度が高く、紫外線照射装置５ａの出力を出力の上限まで上げても所定紫外線照度が得られない場合は、電解処理装置４の出力を、例えば、８０％、９０％といったように計測された照度に応じて上げる。
【００４１】
このように構成された本例の水無害化処理装置による被処理水の無害化処理は、次のようにして行われる。本例においては、船舶用に用いられるバラスト水処理における無害化処理について説明する。
まず、汲み上げ弁９、処理水弁２３、逆流防止弁２４、処理水供給弁２５、タンク注水弁２７を開き、再処理弁２６、排出弁２８、タンク排水弁２９、紫外線再処理弁３０、再処理切換弁３１、中和剤供給弁３２を閉じ、ポンプ７を起動する。ポンプ７の起動により、被処理水が被処理水汲み上げライン１０から汲み上げられて水処理ライン１に通水される。
水処理ライン１に通水された被処理水は、フィルタ８でフィルタサイズ以上の生物（微生物）が捕捉され、塩分濃度測定手段２と濁度測定手段３として用いられる紫外線照度センサ３ｂによって、被処理水の塩分濃度と濁度が検出され、これらの検出値に基づいて、制御手段６により電解処理装置４および紫外線照射装置５ａの出力が調整され、被処理水中のみ微生物が殺滅処理され、処理水タンク１３へ貯留される。
【００４２】
具体的には、塩分濃度測定手段２により被処理水の塩分濃度が通常海水の塩分濃度より低いことを検出した場合、制御手段６は、電解処理装置４の出力は定格出力の７０％である所定出力を維持させ、紫外線照射装置５ａの出力を、塩分濃度が低いことによる塩素濃度の不足から生じる殺滅効果の低下を補完するために、塩分濃度に応じて予め定めた出力まで増加させる。
このようにすることにより、被処理水の塩分濃度が低く、電解処理装置４で生成される塩素濃度が不足し微生物の殺滅効果が低下しても、紫外線照射装置５ａの出力を上げることによって、Ｄ２基準を満足する殺滅能力で処理することができる。
【００４３】
また、塩分濃度測定手段２により被処理水の塩分濃度が通常海水の塩分濃度より低いことを検出した場合、制御手段６は、紫外線照射装置５ａの出力は定格出力の７０％である所定出力を維持させ、電解処理装置４の出力を、所定の有効塩素濃度が得られるように、塩分濃度に応じて増加させる。
このようにすることにより、被処理水の塩分濃度が低く、電解処理装置４で生成される塩素含有物質の塩素濃度が不足しても、出力を増加させることにより所定の有効塩素濃度が得られ、Ｄ２基準を満足する殺滅能力で処理することができる。
【００４４】
被処理水の塩分濃度が通常海水の塩分濃度であるが、被処理水の濁度が基準の５０ＮＴＵを超え、紫外線照射装置５ａ内の紫外線照度が所定照度を得られない場合は、つぎの制御を行う。
紫外線照度センサ３ｂによる紫外線照射装置５ａ内の検出照度が所定照度を得られていない場合、制御手段６は、電解処理装置４の出力は定格出力の７０％である所定出力を維持させ、紫外線照射装置５ａの出力を、紫外線照度センサ３ｂで検出される照度が所定照度になるまで増加させる。
【００４５】
さらに、被処理水の濁度が高く、紫外線照射装置５ａの出力を１００％まで上げても紫外線照度センサ３ｂで検出される照度が所定照度を得られない場合、制御手段６は、電解処理装置４の出力を上げる。このときの電解処理装置４の出力の上昇率は、紫外線照射装置５ａで得られる照度に応じて、Ｄ２基準を満足する殺滅能力が得られるように予めその上昇率を定めておく。
このようにすることにより、被処理水の濁度が高くなり、紫外線照射装置５ａ内の紫外線照度が所定照度を得られなくなっても、電解処理装置４の出力を上げることにより塩素濃度を増加させて、Ｄ２基準を満足する殺滅能力となり、処理水を無害化することができる。
【００４６】
次に、処理水収容タンク１３に注水された処理水を水無害化処理装置の外に排水する場合について説明する。
まず、汲み上げ弁９、処理水弁２３、逆流防止弁２４、排出弁２８、再処理切換弁３１を閉じ、再処理弁２６、紫外線再処理弁３０、処理水供給弁２５、タンク注水弁２７、タンク排水弁２９を開き、ポンプ７を起動して、処理水タンク１３内に貯留された処理水を注水・汲み上げライン１４から汲み上げ、汲み上げた処理水を処理水タンク１３内に戻すように循環させる。そして、循環の途中で通過する紫外線処理装置５で処理水に紫外線照射を行うとともに、残留塩素濃度測定手段１９ａ、或いは残留塩素濃度測定手段１９ｂで循環する処理水の残留塩素濃度を測定する。
そして、残留塩素濃度測定手段１９ａ、或いは残留塩素濃度測定手段１９ｂで測定した循環する処理水タンク１３内の処理水の塩素濃度が０ｐｐｍであった場合は、処理水タンク１３内で貯留中に微生物が増殖しているものと判断し、紫外線処理装置５の紫外線照射装置５ａが所定出力になるまで前記のルートで処理水を循環させ、紫外線照射装置５ａの出力が所定照度になったら、タンク注水弁２７を閉じ、排出弁２８を開いて船外へ排水する。
【００４７】
また、残留塩素濃度測定手段１９ａおよび残留塩素濃度測定手段１９ｂの両方あるいは何れか片方で測定した循環する処理水タンク１３内の処理水の塩素濃度が０ｐｐｍより高い濃度であった場合、処理水は残留塩素の存在により微生物は殺滅され増殖していないものと判断する。そして、残留塩素濃度測定手段１９ａ、或いは残留塩素濃度測定手段１９ｂで測定される塩素濃度に基づき、中和剤供給弁３２の開度や開閉時間を制御して、中和装置２０から塩素中和剤を、中和剤注入ライン２１を通して処理水排水ライン１８に送り、紫外線再処理弁３０、タンク注水弁２７を閉じ、再処理切換弁３１、排出弁２８を開いて、処理水排水ライン１８を通る処理水を中和しながら船外へ排水する。
【００４８】
図２は本発明に係る水無害化処理装置の実施の形態の第２例を示す概略構成図である。
本例の水無害化処理装置も、第１例と同様、バラスト水処理装置として実施された例を示すものである。本例の水無害化処理装置について、前記第１例と同一の構成については同一の符号を付してその説明を省略し、第１例と異なる構成についてのみ説明する。
【００４９】
本例の水無害化処理装置は、水処理ライン１上に、上流側から、被処理水を電気分解することにより被処理水から塩素含有物質を生成し、この塩素含有物質により被処理水を処理する電解処理装置４と、電解処理装置４で処理した処理水の塩素濃度を測定する塩素濃度測定手段３３と、被処理水または電解処理装置４で処理した処理水に紫外線を照射して処理する紫外線照射装置５ａを内蔵した紫外線処理装置５と、紫外線照射装置５ａの紫外線の照射量を測定する紫外線照度測定手段３５とを備えている。
このように、電解処理装置４と紫外線処理装置５を水処理ライン１上に直列に配置し、電解処理装置４で処理した処理水に紫外線処理装置５に内蔵する紫外線照射装置５ａで紫外線を照射して処理することにより、微生物の殺滅効果を一層高めることができ、高い無害化処理効果が得られる。
また、前記紫外線照度測定手段３５にあっては非処理水の濁度を計測する濁度測定手段を兼ねており、被処理水に紫外線を照射したときの照度を計測して、その照度により被処理水の濁度を間接的に計測することができるようになっている。紫外線照度測定手段３５として、本例では、紫外線照度センサが用いられ、紫外線照射装置５ａに設置されている。
さらに、本例の水無害化処理装置は、塩素濃度測定手段３３、紫外線照度測定手段３５による検出値に応じて、電解処理装置４および紫外線照射装置５ａの出力を調整する制御手段３４を備えている。
【００５０】
前記の塩素濃度測定手段３３は、本例では、総残留オキシダントセンサ（ＴＲＯセンサ）が用いられ、電解処理装置４で処理した処理水の塩素濃度を検出している。
また、前記の制御手段３４は、前記の紫外線照射装置５ａによる被処理水に対する紫外線照度、電解処理装置４で処理した処理水の塩素濃度の測定値に応じて、電解処理装置４および紫外線照射装置５ａの出力を、Ｄ２基準を満足する微生物の殺滅効果が得られるよう出力を調整する制御を行うようになっている。
【００５１】
本例では、第１例と同様、電解処理装置４及び紫外線照射装置５ａの所定出力を設定している。電解処理装置４にあっては、通常海水の塩分濃度のとき、Ｄ２基準を満足する塩素濃度が得られる出力を所定出力とし、この所定出力は電解処理装置４の定格出力の７０％に設定している。また、紫外線照射装置５ａにあっては、被処理水の濁度が５０ＮＴＵにおいてＤ２基準を満足する紫外線照度が得られる出力を所定出力とし、この所定出力は紫外線照射装置５ａの定格出力の７０％に設定している。
【００５２】
また、Ｄ２基準を満足させるため、紫外線照度測定手段３５で測定される紫外線の照度が所定照度以下となる場合の電解処理装置４の出力増加率、電解処理装置４で処理された処理水の塩素濃度が低い場合の紫外線照射装置５ａの出力増加率は、予め実験的に求めており、電解処理装置４で処理された処理水の塩素濃度の測定値および紫外線照度測定手段３５で検出される紫外線の照度に応じて、電解処理装置４および紫外線照射装置５ａの出力を調整する制御を行うようになっている。
【００５３】
制御手段３４による電解処理装置４および紫外線照射装置５ａの出力を調整する制御は、本例ではつぎのように行うようになっている。
［制御１］
電解処理装置４で処理した処理水の処理水の塩素濃度に応じて紫外線照射装置５ａの出力を上げるように調整する制御を行う。塩素濃度測定手段３３で測定される塩素濃度が、下流側の紫外線照射装置５ａの所定出力での処理によってＤ２基準を満足する処理能力が補完できないと判断される値である場合は、電解処理装置４の出力を所定出力に維持し、紫外線照射装置５ａの出力を所定出力である７０％から塩素濃度に応じて増加させるようにする。
［制御２］
塩素濃度測定手段３３で測定される塩素濃度に応じて電解処理装置４の出力を調整する制御を行う。塩素濃度測定手段３３で測定される塩素濃度が、下流側の紫外線照射装置５ａの所定出力での処理によってＤ２基準を満足する処理能力が補完できないと判断される値である場合は、紫外線照射装置５ａの出力を所定出力に維持し、電解処理装置４の出力を微生物の殺滅に有効な塩素濃度が得られるよう増加させる。
［制御３］
紫外線照度測定手段３５で測定される被処理水への紫外線の照度に応じて紫外線照射装置５ａの出力を上げるように調整する制御を行う。被処理水の濁度が高く、所定の紫外線照度が得られない場合は、電解処理装置４の出力を所定出力に維持し、紫外線照射装置５ａの出力を微生物の殺滅に有効な紫外線照度が得られるよう増加させる。
［制御４］
被処理水への紫外線の照度が紫外線照射装置５ａの出力を上げても所定の紫外線照度が得られないとき、さらに電解処理装置４の出力を上げるように調整する制御を行う。被処理水への紫外線の照度が紫外線照射装置５ａの出力を出力の上限まで上げても所定の紫外線照度が得られない場合は、電解処理装置４の出力を、例えば、８０％、９０％といったように計測された照度に応じて上げる。
その他の構成は前記第１例と同様なので、第１例の説明を援用し、その説明を省略する。
【００５４】
このように構成された本例の水無害化処理装置による被処理水の無害化処理は、次のようにして行われる。本例においても第１例と同様、船舶用に用いられるバラスト水処理における無害化処理について説明する。
まず、汲み上げ弁９、処理水弁２３、逆流防止弁２４、処理水供給弁２５、タンク注水弁２７を開き、再処理弁２６、排出弁２８、タンク排水弁２９、紫外線再処理弁３０、再処理切換弁３１、中和剤供給弁３２を閉じ、ポンプ７を起動する。ポンプ７の起動により、被処理水が被処理水汲み上げライン１０から汲み上げられて水処理ライン１に通水される。
水処理ライン１に通水された被処理水は、フィルタ８でフィルタサイズ以上の生物（微生物）が捕捉され、塩素濃度測定手段３３と紫外線照度測定手段３５によって、電解処理装置４で処理された処理水の塩素濃度と紫外線照射装置５ａで照射された被処理水への紫外線照度が検出され、これらの検出値に基づいて、制御手段６により電解処理装置４および紫外線照射装置５ａの出力が調整され、被処理水中のみ微生物が殺滅処理され、処理水タンク１３へ貯留される。
【００５５】
具体的には、有効塩素濃度測定手段３３により電解処理装置４で処理した処理水の塩素濃度が、下流側の紫外線照射装置５ａの所定出力での処理によってＤ２基準を満足する処理能力が補完できない値であることを検出した場合、制御手段３４は、電解処理装置４の出力は定格出力の７０％である所定出力を維持させ、紫外線照射装置５ａの出力を、塩素濃度の処理能力を補完できるよう、塩分濃度に応じて予め定めた出力まで増加させる。
このようにすることにより、電解処理装置４で処理した処理水の塩素濃度が、下流側の紫外線照射装置５ａの所定出力での処理によってＤ２基準を満足する処理能力が補完できない場合であっても、紫外線照射装置５ａの出力を上げることによって、Ｄ２基準を満足する殺滅能力で処理することができる。
【００５６】
また、有効塩素濃度測定手段３３により電解処理装置４で処理した処理水の塩素濃度が、下流側の紫外線照射装置５ａの所定出力での処理によってＤ２基準を満足する処理能力が補完できない値であることを検出した場合、制御手段３４は、紫外線照射装置５ａの出力は定格出力の７０％である所定出力を維持させ、電解処理装置４の出力を微生物の殺滅に有効な塩素濃度が得られるよう増加させる。
このようにすることにより、電解処理装置４で処理した処理水の塩素濃度が、下流側の紫外線照射装置５ａの所定出力での処理によってＤ２基準を満足する処理能力が補完できない場合であっても、電解処理装置４の出力を上げることによって、Ｄ２基準を満足する殺滅能力で処理することができる。
【００５７】
また、被処理水の濁度が高く、紫外線照射装置５ａ内の紫外線照度が所定照度を得られない場合は、つぎの制御を行う。
紫外線照度測定手段３５による紫外線照射装置５ａ内の検出照度が所定照度を得られていない場合、制御手段３４は、電解処理装置４の出力は定格出力の７０％である所定出力を維持させ、紫外線照射装置５ａの出力を、紫外線照度センサ３ｂで検出される照度が所定照度になるまで増加させる。
【００５８】
さらに、被処理水の濁度が高く、紫外線照射装置５ａの出力を１００％まで上げても紫外線照度測定手段３５で検出される照度が所定照度を得られない場合、制御手段３４は、電解処理装置４の出力を上げる。このときの電解処理装置４の出力の上昇率は、紫外線照射装置５ａで得られる照度に応じて、Ｄ２基準を満足する殺滅能力が得られるように予めその上昇率を定めておく。
このようにすることにより、被処理水の濁度が高くなり、紫外線照射装置５ａ内の紫外線照度が所定照度を得られなくなっても、電解処理装置４の出力を上げることにより塩素濃度を増加させて、Ｄ２基準を満足する殺滅能力となり、処理水を無害化することができる。
【００５９】
処理水収容タンク１３に注水された処理水を水無害化処理装置の外に排水する場合については、前記した第１例と同様なので、第１例の説明を援用し、その説明を省略する。
【符号の説明】
【００６０】
１  水処理ライン
２  塩分濃度測定手段
３  濁度測定手段
３ａ  濁度センサ
３ｂ  紫外線照度センサ
４  電解処理装置
５  紫外線処理装置
５ａ  紫外線照射装置
６  制御手段
７  ポンプ
８  フィルタ
９  汲み上げ弁
１０  被処理水汲み上げライン
１１  処理水送りライン
１２  排出ライン
１３  処理水タンク
１４  注水・汲み上げライン
１５  処理水再処理ライン
１６  第一分岐ライン
１７  第二分岐ライン
１８  処理水排水ライン
１９ａ  残留塩素濃度測定手段
１９ｂ  残留塩素濃度測定手段
２０  中和装置
２１  中和剤注入ライン
２２  制御手段
２３  処理水弁
２４  逆流防止弁
２５  処理水供給弁
２６  再処理弁
２７  タンク注水弁
２８  排出弁
２９  タンク排水弁
３０  紫外線再処理弁
３１  再処理切換弁
３２  中和剤供給弁
３３  塩素濃度測定手段
３４  制御手段
３５  紫外線照度測定手段
【図１】
0005691768.tif 000002
【図２】
0005691768.tif 000003